(57)【要約】【課題】転売を前提とするチケットの購入を効果的に抑制できる入場許可認証方法、及び、該方法に使用される携帯端末及びゲート管理装置を提供する。【解決手段】入場許可認証方法は、ゲート管理装置が備える時計装置から出力される現在時刻データと、認証データに含まれる現在時刻データとを比較して、両現在時刻データの差が事前に規定された基準値以下であることを確認する現在時刻データ確認ステップ（Ｓ２０４，２０５）と、チケットデータと当該イベントの発券記録を照合して、発券記録における、チケットデータの有無を確認するチケットデータ確認ステップ（Ｓ２０６）を備えて、現在時刻データ確認ステップにおいて、両現在時刻データの差が事前に規定された基準値以下であることが確認され、かつ、チケットデータ確認ステップにおいて、当該イベントの発券記録中に、チケットデータが存在することが確認された場合に、入場希望者の入場を許可する。【選択図】図６
2020077031.tif 000002
【特許請求の範囲】
【請求項１】
入場希望者が携帯する携帯端末から送出される音響信号を、イベント会場入口に設置されたゲート管理装置で受信させることによって、物理的なチケットを代替する入場許可認証方法において、
前記携帯端末が備える記憶手段に事前に登録されたチケットデータと、前記携帯端末が備える時計装置が出力する現在時刻データを結合して、認証データを構成する認証データ構成ステップと、
前記認証データに基づいて音響信号を作成する音響信号作成ステップと、
前記音響信号を前記携帯端末から前記ゲート管理装置に向けて送出する音響信号送出ステップと、
前記ゲート管理装置が前記音響信号を受信する音響信号受信ステップと、
前記音響信号から前記認証データを復元する認証データ復元ステップと、
前記ゲート管理装置が備える時計装置から出力される現在時刻データと、前記認証データに含まれる現在時刻データとを比較して、両現在時刻データの差が事前に規定された基準値以下であることを確認する現在時刻データ確認ステップと、
前記チケットデータと当該イベントの発券記録を照合して、前記発券記録における、前記チケットデータの有無を確認するチケットデータ確認ステップを備えて、
前記現在時刻データ確認ステップにおいて、前記両現在時刻データの差が事前に規定された基準値以下であることが確認され、かつ、前記チケットデータ確認ステップにおいて、当該イベントの発券記録中に、前記チケットデータが存在することが確認された場合に、前記入場希望者の前記イベント会場への入場を許可する、
入場許可認証方法。
【請求項２】
記憶手段と、
現在時刻を出力する時計装置と、
前記記憶手段に事前に登録されたチケットデータと、前記時計装置が出力する現在時刻データを結合して、認証データを構成する認証データ構成手段と、
前記認証データに基づいて音響信号を作成する音響信号作成手段と、
前記音響信号を外部に送出する音響信号出力手段と、を備える、
携帯端末。
【請求項３】
前記音響信号作成手段は、前記認証データを構成する文字のそれぞれに特定の周波数の１個の音波、又は特定の周波数の複数個の音波の組を割り当てて、前記音波又は音波の組を配列することによって、前記音響信号を作成する、
請求項２に記載の携帯端末。
【請求項４】
前記音響信号作成手段は、前記音響信号を構成する音波の周波数を、イベント毎に指定された基準周波数に従ってシフトして、前記音響信号を作成する、
請求項３に記載の携帯端末。
【請求項５】
イベント会場入口に設置されるゲート管理装置において、
請求項２に記載の携帯端末から送出される音響信号を受信する音響信号受信手段と、
前記音響信号受信手段で受信された前記音響信号から前記認証データを復元する認証データ復元手段と、
現在時刻データを出力する時計装置と、
前記時計装置から出力される現在時刻データと、前記認証データに含まれる現在時刻データとを比較して、両現在時刻データの差が事前に規定された基準値以下であることを確認する時刻データ確認手段と、
前記チケットデータと当該イベントの発券記録を照合して、前記発券記録における、前記チケットデータの有無を確認するチケットデータ確認手段と、
前記時刻データ確認手段によって、前記両現在時刻データの差が前記基準値以下であることが確認され、かつ、前記チケットデータ確認手段において、前記チケットデータが当該イベントの発券記録に含まれていることが確認された場合に、前記携帯端末を携帯する入場希望者の当該イベント会場への入場を許可する入場許可手段を、備える、
ゲート管理装置。
【請求項６】
前記発券記録を事前に記憶させておく記憶手段を備えるとともに、
前記チケットデータ確認手段は、前記チケットデータを、前記記憶手段に記憶された前記発券記録と照合して、前記発券記録における前記チケットデータの有無を確認する、
請求項５に記載のゲート管理装置。
【請求項７】
前記ゲート管理装置から離隔して配置されて、前記発券記録を保存するコンピュータとの間で通信を行う通信手段を備えるとともに、
前記チケットデータ確認手段は、前記通信手段を介して、前記コンピュータにアクセスして、前記チケットデータを前記コンピュータに保存された前記発券記録と照合して、前記発券記録における前記チケットデータの有無を確認する、
請求項５に記載のゲート管理装置。
【発明の詳細な説明】
【技術分野】
【０００１】
本発明は、イベント会場入口において個人認証を行って、正規の手続を経てチケットを購入した者について当該イベント会場への入場を許可する入場許可認証方法、及び該方法に使用される携帯端末とゲート管理装置に関する。
【背景技術】
【０００２】
従来、コンサートなどの各種イベント会場への入場を希望する者は、事前にプレイガイド等で購入、あるいは当日、当該会場で購入したチケットを、当該会場まで持参して、当該会場の入口において、そのチケットを提示して入場許可を受けていた。当該会場の入口に配置された担当者は、入場希望者が持参したチケットの真偽を確認して、真性なチケットを持参した者の入場を許可していた。
【０００３】
多数の観客が殺到することが予想される人気イベントにおいては、入場券を転売目的で入手して、公衆に高値で売却して利益を得る業者の存在、つまり、いわゆる「ダフ屋」の存在が問題になっている。かかる「ダフ屋行為」は、基本的には犯罪であり、取締及び処罰の対象である。そこで、「ダフ屋行為」を排除するために、正規の手続を経てチケットを購入した者のみに入場を許可し、「ダフ屋行為」を経てチケットを入手した者の入場を拒否する方法の確立が求められている。
【０００４】
例えば、特許文献１に記載のチケット発行システムは、利用者端末装置から送信された利用者本人の顔写真画像に認証コードを電子透かしとして埋め込む処理を行うことを特徴としている。そして、認証コードが埋め込まれた顔写真画像付きのチケットを発券することを特徴としている。この発明によれば、チケットの発行を申し込んだ利用者本人の顔写真画像が、物理的なチケットに表示されるので、他人が当該チケットを使用することを防止できるで、転売を前提とするチケットの購入を抑制できる。
【０００５】
特許文献２に記載の入場許可認証方法は、発券サーバから送信されて、利用者の携帯端末が受信したチケットデータを、利用者の携帯端末から表示出力または音響出力することにより、物理的なチケットを代替することを特徴としている。この発明によれば、物理的なチケット、つまり紙のチケットが介在しないので、チケットの転売が困難になる。
【先行技術文献】
【特許文献】
【０００６】
【特許文献１】特開２００６−２０１９９７号公報
【特許文献２】特許第４６４５９２８号公報
【発明の概要】
【発明が解決しようとする課題】
【０００７】
特許文献１に記載の発明においては、チケットを購入する度に、顔写真を撮影してシステムに送信することが、利用者にとって煩わしいという問題がある。
【０００８】
特許文献２に係る発明は、チケットデータのコピーを防止する手段を備えていないので、転得者の携帯端末にチケットデータをコピーすることができる。そのため、チケットデータの転売を完全には抑制できないという問題がある。
【０００９】
本発明は、このような事情に鑑みてなされたものであり、転売を前提とするチケットの購入を効果的に抑制できる入場許可認証方法を提供することを目的とする。また該方法に使用される携帯端末及びゲート管理装置を提供することを目的とする。
【課題を解決するための手段】
【００１０】
上記課題を解決するために、本発明に係る入場許可認証方法は、入場希望者が携帯する携帯端末から送出される音響信号を、イベント会場入口に設置されたゲート管理装置で受信させることによって、物理的なチケットを代替する入場許可認証方法において、携帯端末が備える記憶手段に事前に登録されたチケットデータと、携帯端末が備える時計装置が出力する現在時刻データを結合して、認証データを構成する認証データ構成ステップと、認証データに基づいて音響信号を作成する音響信号作成ステップと、音響信号を携帯端末からゲート管理装置に向けて送出する音響信号送出ステップと、ゲート管理装置が音響信号を受信する音響信号受信ステップと、音響信号から認証データを復元する認証データ復元ステップと、ゲート管理装置が備える時計装置から出力される現在時刻データと、認証データに含まれる現在時刻データとを比較して、両現在時刻データの差が事前に規定された基準値以下であることを確認する現在時刻データ確認ステップと、チケットデータと当該イベントの発券記録を照合して、発券記録における、チケットデータの有無を確認するチケットデータ確認ステップを備えて、現在時刻データ確認ステップにおいて、両現在時刻データの差が事前に規定された基準値以下であることが確認され、かつ、チケットデータ確認ステップにおいて、当該イベントの発券記録中に、チケットデータが存在することが確認された場合に、入場希望者のイベント会場への入場を許可するものである。
【００１１】
本発明に係る携帯端末は、記憶手段と、現在時刻を出力する時計装置と、記憶手段に事前に登録されたチケットデータと、時計装置が出力する現在時刻データを結合して、認証データを構成する認証データ構成手段と、認証データに基づいて音響信号を作成する音響信号作成手段と、音響信号を外部に送出する音響信号出力手段と、を備えるものである。
【００１２】
本発明に係る携帯端末が備える音響信号作成手段は、認証データを構成する文字のそれぞれに特定の周波数の１個の音波、又は特定の周波数の複数個の音波の組を割り当てて、音波又は音波の組を配列することによって、音響信号を作成するものであっても良い。
【００１３】
本発明に係る携帯端末が備える音響信号作成手段は、音響信号を構成する音波の周波数を、イベント毎に指定された基準周波数に従ってシフトして、音響信号を作成するものであっても良い。
【００１４】
本発明に係るゲート管理装置は、イベント会場入口に設置されるゲート管理装置において、携帯端末から送出される音響信号を受信する音響信号受信手段と、音響信号受信手段で受信された前記音響信号から認証データを復元する認証データ復元手段と、現在時刻データを出力する時計装置と、時計装置から出力される現在時刻データと、認証データに含まれる現在時刻データとを比較して、両現在時刻データの差が事前に規定された基準値以下であることを確認する時刻データ確認手段と、チケットデータと当該イベントの発券記録を照合して、発券記録における、チケットデータの有無を確認するチケットデータ確認手段と、時刻データ確認手段によって、両現在時刻データの差が基準値以下であることが確認され、かつ、チケットデータ確認手段において、チケットデータが当該イベントの発券記録に含まれていることが確認された場合に、携帯端末を携帯する入場希望者の当該イベント会場への入場を許可する入場許可手段を、備えるものである。
【００１５】
本発明に係るゲート管理装置は、発券記録を事前に記憶させておく記憶手段を備えるとともに、チケットデータ確認手段は、チケットデータを、記憶手段に記憶された発券記録と照合して、発券記録におけるチケットデータの有無を確認するものであっても良い。
【００１６】
本発明に係るゲート管理装置は、ゲート管理装置から離隔して配置されて、発券記録を保存するコンピュータとの間で通信を行う通信手段を備えるとともに、チケットデータ確認手段は、通信手段を介して、コンピュータにアクセスして、チケットデータをコンピュータに保存された発券記録と照合して、発券記録におけるチケットデータの有無を確認するものであっても良い。  
【発明の効果】
【００１７】
本発明に係る入場許可認証方法によれば、事業者から提供されるアプリケーションプログラムに依らなければ音響信号を発生することができない。本発明に係る入場許可認証方法によれば、音響信号が作成及び送出された時刻を表示する現在時刻データと、ゲート管理装置で受信された音響信号に基づいて認証データを復元した時刻を表示する現在時刻データと、を比較して、両現在時刻データが基準値を超えて乖離する場合に、入場希望者の入場を拒否することができる。そのため、事前に正規の携帯端末から送出された音響信号を録音したものを、ゲート管理装置の前で、再生することによっては、入場許可を受けることができない。つまり、コピーされた音響信号によっては、入場許可を受けることができない。そのため、チケットデータの不正な転売が抑制される。
【図面の簡単な説明】
【００１８】
【図１】本発明の実施形態に係る入場許可認証方法を実施するシステムの構成図である。
【図２】図１に記載のシステムを構成する携帯端末の機能的構成を示す構成図である。ある。
【図３】図１に記載のシステムを構成するゲート管理装置の外形図であって、（Ａ）は通路Ｅが閉鎖された状態を、（Ｂ）は通路Ｅが開放された状態を、それぞれ示す図である。
【図４】図１に記載のシステムを構成するゲート管理装置の機能的構成を示す構成図である。
【図５】図２に記載の携帯端末において、音響信号送出プログラムに従って行われる処理を示すフローチャートである。
【図６】図３及び図４に記載のゲート管理装置において、認証処理プログラムに従って行われる処理を示すフローチャートである。
【図７】図３及び図４に記載のゲート管理装置が受信する音波の波形の例を示す図である。
【図８】図７に記載の波形について、周波数解析を行った結果の例を示す図である。
【発明を実施するための形態】
【００１９】
以下、本発明に係る入場許可認証方法及び、該方法に使用される携帯端末とゲート管理装置の実施形態について、図を参照して説明する。
【００２０】
図１は、本発明の実施形態に係る入場許可認証方法を実施するシステムの構成図である。図１に示すように、該システムは、あるイベント会場への入場を希望する者が携帯する携帯端末１、当該イベント会場の入口に設置されるゲート管理装置２、当該イベントの入場チケットを販売する代理店が運用する発券サーバ３、及び当該イベントの運営者が運用する管理用コンピュータ４を備える。
【００２１】
携帯端末１は、一般に、スマートフォンと呼ばれる携帯電話装置である。ゲート管理装置２は、携帯端末１から出力させる音響信号を受信し、その音響信号を解析し、その結果、携帯端末１を携帯する入場希望者が、正規の手続を経て、入場チケットを購入した者であると認められた場合に、当該入場希望者の当該イベント会場への入場を許可する装置である。なお、携帯端末１とゲート管理装置２の詳細な構成と作用については、後述する。
【００２２】
図１は、本発明の実施形態に係る入場許可認証方法を実施するシステムの構成図である。図１に示すように、該システムは、あるイベント会場への入場を希望する者が携帯する携帯端末１、当該イベント会場の入口に設置されるゲート管理装置２、当該イベントの入場チケットを販売する代理店が運用する発券サーバ３、及び当該イベントの運営者が運用する管理用コンピュータ４を備える。
【００２３】
前述したように、発券サーバ３は当該イベントの入場チケットを販売する代理店が運用するコンピュータであって、図示しないインターネット回線を介して、携帯端末１との間で通信可能に構成されている。携帯端末１を携帯する入場希望者が、初めて、本実施形態に係るシステムを利用する場合に、発券サーバ３は携帯端末１に対して登録情報の入力を要求する。つまり、携帯端末１を携帯する入場希望者の住所、氏名等の入力を要求する。登録情報の入力が完了して、携帯端末１を携帯する入場希望者の登録手続が完了すると、発券サーバ３は携帯端末１に対して、アプリケーションプログラムを送信し、該アプリケーションプログラムを携帯端末１にインストールする。後述する携帯端末１の機能は、携帯端末１が該アプリケーションプログラムに所定の処理を行うことによって実現される。また、携帯端末１を携帯する入場希望者が携帯端末１を経由して、発券サーバ３にイベントの入場チケットを注文すると、発券サーバ３は携帯端末１にチケットデータを送信する。そして、チケットデータは携帯端末１に保存される。
【００２４】
前述したように、管理用コンピュータ４は、イベントの運営者が運用するコンピュータである。管理用コンピュータ４は、図示しない通信回線を介して、発券サーバ３及びゲート管理装置２に接続されている。発券サーバ３は、携帯端末１にチケットデータを送信する度に、発券記録を送信する。管理用コンピュータ４に受信した発券記録を保存する。そして、管理用コンピュータ４は、イベントの開催の当日までに、保存された発券記録を一括して、ゲート管理装置２に送信する。発券記録を受信したゲート管理装置２は、後述する入場許可認証手続において、発券記録を参照する。なお、発券記録は、携帯端末１に送信したチケットデータに携帯端末１に係る登録データの全部又は一部を結合して構成される。
【００２５】
図２は、携帯端末１の構成を示す機能ブロック図である。なお、図２においては、携帯端末１の本来的な機能、つまり、携帯端末１を携帯電話装置として機能させる構成については、図示を省略している。したがって、携帯端末１は、当然に、携帯電話装置としても機能する。さて、図２に示すように、携帯端末１は、一種の小型のコンピュータであって、ＣＰＵ（Central Processing Unit）装置１１と記憶装置１２と入出力インターフェイス１３とを備えている。ＣＰＵ装置１１は記憶装置１２に記憶されたプログラムを読み出して、該プログラムにしたがって各種の演算処理を行う装置である。またＣＰＵ装置１１には、リアルタイムクロック（ＲＴＣ：real-time clock）１１ａが内蔵されている。リアルタイムクロック１１ａは一種の電子時計であって、携帯端末１に時刻情報を提供する装置である。したがって、リアルタイムクロック１１ａは携帯端末１が備える時計装置に相当する。記憶装置１２はプログラムとデータを記憶する装置である。発券サーバ３から提供されるアプリケーションプログラムと発券サーバ３から送信されるチケットデータは記憶装置１２に記憶される。記憶装置１２はこのように作用するので、本発明に係る携帯端末が備える記憶手段に相当する。なお、入出力インターフェイス１３は、後述する各装置とＣＰＵ装置１１の間の入出力を仲介する装置である。
【００２６】
図２に示すように、入出力インターフェイス１３には、通信部１４とタッチパネル装置１５とスピーカ装置１６が接続されている。通信部１４は外部装置、例えば、発券サーバ３との間で通信を行う機能部である。前述したアプリケーションプログラムとチケットデータは、通信部１４を介して携帯端末１の中に取り込まれる。タッチパネル装置１５は携帯端末１に対する操作入力を受ける装置である。携帯端末１のユーザはタッチパネル装置１５に触れることによって、携帯端末１に対して操作入力を行う。スピーカ装置１６は、携帯端末１の外部に音響信号を出力する装置である。つまり、スピーカ装置１６は、携帯端末１において音響信号出力手段として機能する装置である。
【００２７】
図３（Ａ），（Ｂ）は、ゲート管理装置２の外形図である。図３（Ａ），（Ｂ）に示すように、ゲート管理装置２はディスプレイ装置２１と音響カプラ２２とドア板２３を備える。ディスプレイ装置２１は、文字、図形、あるいは動画を表示する装置であって、ゲート管理装置２を利用する者、つまりイベント会場に入場を希望する者に対して、操作ガイダンスを行う装置である。音響カプラ２２は、携帯端末１から出力される音響信号を受信する装置である。つまり、音響カプラ２２は、ゲート管理装置２が備える音響信号受信手段の具体例である。ドア板２３は、図示しない駆動装置によって駆動されて、揺動軸２３ａ周りに揺動して、入場通路Ｅを開放・閉鎖する通路開閉手段の具体例である。なお、図３（Ａ）はドア板２３によって、入場通路Ｅが閉鎖された状態を、図３（Ｂ）は、入場通路Ｅが開放された状態を、それぞれ示している。
【００２８】
図４は、イベント会場入口に設置されるゲート管理装置２の機能的構成を示す機能ブロック図である。ゲート管理装置２は一種のコンピュータ応用装置であって、図４に示すように、ＣＰＵ装置２４と記憶装置２５と入出力インターフェイス２６とを備えている。ＣＰＵ装置２４は記憶装置２５に記憶されたプログラムを読み出して、該プログラムにしたがって各種の演算処理を行う装置である。またＣＰＵ装置２４には、リアルタイムクロック（ＲＴＣ：real-time clock）２４ａが内蔵されている。リアルタイムクロック２４ａは一種の電子時計であって、ゲート管理装置２に時刻情報を提供する装置である。したがって、リアルタイムクロック２４ａはゲート管理装置２が備える時計装置に相当する。記憶装置２５はプログラムとデータを記憶する装置である。管理用コンピュータ４から提供される発券情報は記憶装置２５に記憶される。入出力インターフェイス２６は、後述する各装置とＣＰＵ装置２４の間の入出力を仲介する装置である。    
【００２９】
図４に示すように、入出力インターフェイス２６には、ディスプレイ装置２１と周波数解析装置２７とドア駆動装置２８と通信部２９が接続されている。ディスプレイ装置２１は入出力インターフェイス２６を介してＣＰＵ装置２４に指示されて、必要な操作ガイダンス情報を、文字、図形あるいは動画の形で表示する。周波数解析装置２７は、一般に高速フーリエ解析（ＦＦＴ：Fast Fourier Transform）装置と呼ばれる装置であり、携帯端末１から出力されて、音響カプラ２２に入力された音響信号を解析して、当該音響信号の周波数を逐次的に求める装置である。また、周波数解析装置２７による解析結果は、入出力インターフェイス２６を介してＣＰＵ装置２４に伝達される。ＣＰＵ装置２４においては、伝達された音響信号に基づいて、後述する処理がなされる。かかる処理の結果に応じて、ＣＰＵ装置２４は入出力インターフェイス２６を介して、ドア駆動装置２８に動作指示を与える。動作指示を受けたドア駆動装置２８は、ドア板２３を駆動して、入場通路Ｅを開閉する。なお、通信部２９は、ゲート管理装置２と外部装置の間でデータの送受を行う機能部であって、本発明の通信手段の具体例である。
【００３０】
次に、イベント会場への入場を希望する者が、携帯端末１を使って、正規にチケットを購入した者であることを証明して、入場許可を受けるまでの手順を説明する。前述したように、イベント会場への入場を希望する者（以下「入場希望者」という）は、事前に、携帯端末１を使って、発券サーバ３と通信して、アプリケーションプログラムの提供を受けていて、該アプリケーションプログラムは携帯端末１の記憶装置１２に保存されている。また、入場希望者は、事前に、携帯端末１を使って、発券サーバ３と通信して、イベント会場の入場チケットを購入している。入場希望者は、発券サーバ３から、チケットデータ、つまり、入場希望者が購入したチケットを他と区別する、当該チケットに固有の文字列の提供を受けている。そして、該チケットデータは、携帯端末１の記憶装置１２に保存されている。
【００３１】
入場希望者は、上記のアプリケーションプログラムとチケットデータがインストールされた携帯端末１を携帯して、イベント会場に赴き、イベント会場入口に設置されたゲート管理装置２の前に立つ。ゲート管理装置２は、図３，４において図示しないセンサを備えていて、該センサが入場希望者の存在を検知すると、ゲート管理装置２はディスプレイ装置２１に、「ようこそ、いらっしゃいました。携帯端末１を音響カプラ２２に宛がってください。その後、携帯端末１において、音響信号送出プログラムを起動させてください。」との主旨のガイダンスメッセージを表示する。その後、入場希望者は、前記ガイダンスメッセージに従って、携帯端末１を音響カプラ２２に宛がい、携帯端末１において、音響信号送出プログラムを起動させる。なお、音響信号送出プログラムは、発券サーバ３から提供されたアプリケーションプログラムの一部である。
【００３２】
図５は、音響信号送出プログラムを実行することによって、携帯端末１で行われる処理を示すフローチャートである。図５に示すように、音響信号送出プログラムが起動されると、ＣＰＵ装置１１は記憶装置１２からチケットデータを読み出す（ステップ１０１）。次に、ＣＰＵ装置１１は、リアルタイムクロック１１ａから現在時刻データ（Ｔ１）、つまり、音響信号送出プログラムが現に実行されている時刻を示すデータを読み出す（ステップ１０２）。本実施形態においては、協定世界時 (ＵＴＣ：Coordinated Universal Time) での１９７０年１月１日午前０時０分０秒からの形式的な経過秒数の、下５桁を現在時刻データ（Ｔ１）として使用する。
【００３３】
現在時刻データを読み出したら、ＣＰＵ装置１１は、チケットデータと現在時刻データ（Ｔ１）を結合して、認証データを構成する（ステップ１０３）。なお、ステップ１０１からステップ１０３で行われる処理が、本発明の認証データ構成ステップに相当する。また、ステップ１０１からステップ１０３の処理を行う間、ＣＰＵ装置１１は、本発明の認証データ構成手段として機能する。ここで、データの結合とは、一方のデータを構成する文字列の後に、他方のデータを構成する文字列を配列して、１個の文字列を作成することをいう。すなわち、ステップ１０３においては、チケットデータを構成する文字列の後に、現在時刻データ（Ｔ１）を構成する文字列が配列されて、１個の文字列が作成される。
【００３４】
認証データが作成されたら、ＣＰＵ装置１１は、認証データを音響信号に変換する（ステップ１０４）。音響信号への変換は、０〜９の１０個の数字と、start,next,end,finishの４個の記号に、基準周波数Ｂの前後の特定の周波数を、一定の規則に従って、割り付けて行う。基準周波数Ｂの前後の特定の周波数の音波が、１０個の数字と４個の記号を表示する音響信号として割り当てられる。なお、Ｂは、発券サーバ３が、特定のイベント毎にランダムに割り付ける基準周波数である。したがって、イベントが異なれば、基準周波数Ｂが異なるので、携帯端末１とゲート管理装置２の間で使用される音響信号は、イベント毎にランダムに変更される。また、発券サーバ３から携帯端末１に通知される基準周波数Ｂの設定値についての情報は、暗号化されていて、一般ユーザに対しては秘匿されている。このように、音響信号の周波数は、イベント毎に指定された基準周波数Ｂの設定値に従ってシフトされる。
【００３５】
なお記号startは認証データの先頭を示す記号である。記号nextは、その前後の数字を組み合わせることによって、英文字を表すことを示す記号である。記号endは、データの区切りを示す記号である。記号finishは認証データの終端を示す記号である。例えば、認証データが「１２３」である場合、当該認証データに係る音響信号は、start、１、end、２、end、３、finishにそれぞれ相当する周波数の音波を配列して構成される。
【００３６】
記号nextは、その前後に配置された数字を結合して、両者が組を構成することを示す記号である。また、本実施形態においては、認証データに英文字が含まれる場合に、英文字を２個の数字の組で表現する。例えば、英文字Ａを数字１と０の組で表現する場合、英文字Ａを示す音響信号は、１とnextと２に相当する音響信号を配列して構成される。英文字Ｚを数字２と５の組で表現する場合、英文字Ｚを示す音響信号は、２とnextと５に相当する音響信号を配列して構成される。なお、認証データに英文字が含まれる場合も、認証データに係る音響信号においては、先頭に記号startに相当する周波数の音波が配置され、データの区切りに記号endに相当する周波数の音波が配置され、終端に記号finishに相当する周波数の音波が配置される。
【００３７】
以上の手順を経て、音響データが作成されたら、ＣＰＵ装置１１は、当該音響データに基づく音響信号を、スピーカ装置１６から送出させる（ステップ１０５）。音響信号の送出は、前述の各数字と記号に対応する特定の周波数の音波を時間ｔづつ、順次送出して行う。そして、全ての音響信号が送出されたら、音響信号送出プログラムによる処理を終える。なお、ステップ１０４における処理は本発明の音響信号作成ステップに相当する。ステップ１０５における処理は本発明の音響信号送出ステップに相当する。また、ステップ１０４の処理を実行する間、ＣＰＵ装置１１は、本発明の音響信号作成手段として機能する。
【００３８】
一方、ゲート管理装置２の記憶装置２５には認証処理プログラムがインストールされていて、入場希望者がゲート管理装置２の前に立った事が検知されると、ＣＰＵ装置２４は、図６に示すような認証処理プログラムによる処理を開始する。すなわち、認証処理プログラムによる処理が開始されると、ＣＰＵ装置２４は、音響カプラ２２に音を受信させる（ステップ２０１）。ステップ２０１に行われる処理は、本発明の音響信号受信ステップに相当する。この時、音響カプラ２２には図７に示すような、生の波形が入力される。音響カプラ２２に音の波形が入力されると、ＣＰＵ装置２４は、その波形を周波数解析装置２７で解析させる（ステップ２０２）。周波数解析装置２７で音響カプラ２２に入力される波形を解析すると、波形の周波数変化が図８に示すようなタイムヒストリーの形で現れる。例えば、図８に示すタイムヒストリーにおいて、Ｂ−Ｘ０Ｈｚの周波数が検出されれば、音響カプラ２２に入力される波形に記号startに相当する音響信号が含まれていることが分かる。音響カプラ２２に入力される波形に記号startに相当する音響信号が含まれていることを、ＣＰＵ装置２４は、その後に音響カプラ２２に入力される波形を周波数解析した結果に基づいて、認証データの復元を行う。
【００３９】
例えば、 図８に示すように、Ｂ−Ｘ０Ｈｚの周波数が検出された後で、ＢＨｚの周波数が検出され、さらにその後に、Ｂ−Ｘ１Ｈｚの周波数が検出されれば、記号startに相当する音響信号の後に、数字１と記号endに相当する音響信号を音響カプラ２２で受信したことが分かる。その後に、Ｂ＋ｘ１Ｈｚの周波数が検出され、さらにその後に、Ｂ−Ｘ１Ｈｚの周波数が検出されれば、数字２と記号endに相当する音響信号を音響カプラ２２で受信したことが分かる。その後に、Ｂ＋ｘ２Ｈｚの周波数が検出され、さらにその後に、Ｂ−Ｘ１Ｈｚの周波数が検出されれば、数字３と記号endに相当する音響信号を音響カプラ２２で受信したことが分かる。その後に、Ｂ＋ｘ３Ｈｚの周波数が検出され、さらにその後に、Ｂ−Ｘ２Ｈｚの周波数が検出されれば、数字４と記号finishに相当する音響信号を音響カプラ２２で受信したことが分かる。以上の解析によれば、音響カプラ２２が、start、１、end、２、end、３、end、４、finishに相当する音響信号を逐次受信したことが分かる。その結果、音響カプラ２２が受信した音響信号から、認証データ１２３４が復元される。なお、ステップ２０２とステップ２０３で行われる処理は、本発明の認証データ復元ステップに相当する。また、ステップ２０２とステップ２０３の処理を実行する間、ＣＰＵ装置２４は、本発明の認証データ復元手段として機能する。
【００４０】
図６に戻って、認証処理プログラムによる処理の説明を続ける。認証データが復元されたら、ＣＰＵ装置２４は、リアルタイムクロック２４ａから現在時刻データ（Ｔ２）、つまり、認証処理プログラムが現に実行されている時刻を示すデータを読み出す（ステップ２０４）。そして、認証データに記録された現在時刻データ（Ｔ１）とリアルタイムクロック２４ａから読み出された現在時刻データ（Ｔ２）の時間差を求める。認証データが現にゲート管理装置２の前で、入場希望者が携帯端末１を操作して作成したものならば、Ｔ１とＴ２の時間差は、音響信号送出プログラム及び認証処理プログラムの処理時間、あるいはリアルタイムクロック１１ａ，２４ａの誤差に起因する僅かなものであるはずである。Ｔ１とＴ２の時間差が大きければ、ゲート管理装置２に入力された音響信号が、いわゆるダフ屋から提供された音響信号の録音データを再生したものである可能性が高い。つまり、Ｔ１とＴ２の時間差が大きければ、ゲート管理装置２に入力された音響信号が、不正に転売されたチケットデータを含むものである可能性が高い。そこで、Ｔ１とＴ２の時間差が事前に決められた許容値よりも大きい場合（ステップ２０５：Ｎｏ）は、入場希望者の入場を拒否（ステップ２０８）して、処理を終える。なお、入場拒否は、ドア板２３を閉じたままにするとともに、ディスプレイ装置２１に、入場を拒否する旨のメッセージを表示して行う。なお、ステップ２０４とステップ２０５で行われる処理は、本発明の現在時刻データ確認ステップに相当する。また、ステップ２０４とステップ２０５の処理を実行する間、ＣＰＵ装置２４は、本発明の現在時刻データ確認手段として機能する。
【００４１】
Ｔ１とＴ２の時間差が事前に決められた許容値よりも小さい場合（ステップ２０５：Ｙｅｓ）は、認証データに含まれるチケットデータを、記憶装置２５に記憶された発券データと照合する（ステップ２０６）。チケットデータが発券データに記載されていなければ（ステップ２０６：Ｎｏ）、入場希望者の入場を拒否（ステップ２０８）して、処理を終える。なお、入場拒否は、ドア板２３を閉じたままにするとともに、ディスプレイ装置２１に、入場を拒否する旨のメッセージを表示して行う。
【００４２】
チケットデータが発券データに記載されていれば（ステップ２０６：Ｙｅｓ）、入場希望者の入場を許可（ステップ２０７）して、処理を終える。なお、入場許可は、ドア板２３を開放するとともに、ディスプレイ装置２１に、入場を許可する旨のメッセージを表示して行う。なお、ステップ２０６で行われる処理は、本発明のチケットデータ確認ステップに相当する。また、ステップ２０６の処理を実行する間、ＣＰＵ装置２４は、本発明のチケットデータ確認手段として機能する。また、ステップ２０５からステップ２０８に至る一連の処理を行う間、ＣＰＵ装置２４は、本発明の入場許可手段として機能する。
【００４３】
以上説明したように、本実施形態においては、携帯端末１において、チケットデータと現在時刻データを結合して認証データを作成して、かかる認証データを音響信号に変換して、ゲート管理装置２に向けて送出する。音響信号を受信したゲート管理装置２は、音響信号に基づいて認証データを復元するとともに、認証データに含まれる現在時刻データと、ゲート管理装置２における現在時刻を比較する。そして、両者の時間差が許容値を超える場合に、入場を拒否する。そのため、事前に録音された音響信号を使って入場することができない。その結果、不正に転売されたチケットデータを使って入場することを防止できる。
【００４４】
なお、本発明の技術的範囲は、上記実施形態によっては限定されない。また、本発明は、自由に、変形応用あるいは改良して実施することができる。
【００４５】
上記実施形態においては、チケットデータに結合されて認証データを構成する現在時刻データの具体例として、１９７０年１月１日午前０時０分０秒からの形式的な経過秒数の、下５桁を例示したが、現在時刻データは係る経過秒数の下５桁には限定されない。現在時刻データは、係る経過秒数の下３桁、４桁、あるいは６桁以上であっても良い。現在時刻データは、月日時分秒をそれぞれ２桁の数字で表示する合計１０桁の文字列であっても良い。
【００４６】
チケットデータの構成は特に限定されない。チケットデータは数字だけで構成されるものには限定されない。チケットデータは数字と英文字で構成されても良いし、その他の文字あるいは記号で構成されても良い。
【００４７】
音響信号を構成する、特定の周波数の音波を連続して送出する時間ｔは、限定されない。時間ｔは、数ｍSから数百ｍSの間で、ゲート管理装置２の性能、あるいは、認証処理の信頼性あるいは安定性、あるいは処理速度の高低を、勘案して、最適な値を設定すれば良い。
【００４８】
認証処理プログラムのステップ２０５における、Ｔ１とＴ２の時間差の許容値は、限定されない。該許容値は、数秒から数分の間で、任意に選択して、設定することができる。
【００４９】
周波数解析装置２７にバンドパスフィルターを備えて、音響信号に使用されない帯域の音波を予めカットして、その後に、周波数解析を行うようにしても良い。不要な帯域の音波をカットすることによって、ノイズの影響を小さくすることができる。
【００５０】
上記実施形態においては、発券データが記憶装置２５に保存されていて、ＣＰＵ装置２４が、チケットデータを記憶装置２５に保存された発券データと照合する例を示した。しかしながら、ゲート管理装置２は、記憶装置２５に発券データを保存するものには限定されない。ゲート管理装置２は、ＣＰＵ装置２４が管理用コンピュータ４にアクセスして、チケットデータを管理用コンピュータ４に保存された発券データと照合するものであっても良い。また図１において、ゲート管理装置２と管理用コンピュータ４が通信線を介して接続される例を示したが、ゲート管理装置２は管理用コンピュータ４に常時接続されるものには限定されない。ゲート管理装置２は管理用コンピュータ４から発券データの提供を受ける時だけ、管理用コンピュータ４に接続されて、それ以外の場合には、管理用コンピュータ４との接続が解除されるものであっても良い。あるいは、ゲート管理装置２は管理用コンピュータ４に対して常時分離されていて、発券データの受け渡しをオフラインで行うものであっても良い。例えば、管理用コンピュータ４において発券データを記憶媒体にコピーして、発券データがコピーされた記憶媒体をゲート管理装置２に取り付けるようにしても良い。 
【００５１】
上記実施形態においては、発券用サーバ３と管理用コンピュータ４が別のハードウェアを備えていて、発券用サーバ３と管理用コンピュータ４の間でデータを送受を行う例を示したが、発券用サーバ３と管理用コンピュータ４はこのようなものには限定されない。発券用サーバ３と管理用コンピュータ４はハードウェアを共有するものであっても良い。つまり、１台のコンピュータが、発券用サーバ３と管理用コンピュータ４の両方の機能を備えるようにしても良い。
【００５２】
上記実施形態においては、発券用サーバ３が、ユーザ登録の受付け、アプリケーションプログラムの提供、チケット注文受付け、チケットデータの提供の機能を備える例を示したが、これらの機能を複数のコンピュータで実現するようにしてもよい。例えば、発券用サーバ３に代えて、ユーザ登録の受付けとアプリケーションプログラムの提供を行うコンピュータと、チケット注文受付けとチケットデータの提供を行うコンピュータを別個に備えるようにしても良い。
【００５３】
上記実施形態においては、入場通路Ｅを物理的に開閉するゲート装置の具体例として、揺動軸２３ａ周りに揺動するドア板２３を例示したが、ゲート装置は入場通路Ｅを物理的に開閉可能に構成されていれば十分であり、その機械的構成は限定されない。ゲート装置はスライドドアを備えるものであっても良いし、揺動自在に取りつけられた棒材を備えるものであっても良い。
【００５４】
ゲート管理装置２は、入場通路Ｅを物理的に開閉するゲート装置を備えるものには限定されない。ゲート管理装置２はディスプレイ装置２１に表示されるメッセージによって、入場希望者に入場の可否を伝えて、入場が許可されなかった入場希望者に自発的な退去を促すものであっても良い。あるいは、ゲート管理装置２に音声出力装置を備えて、入場希望者に音声で入場の可否を伝えるようにしても良い。
【００５５】
上記実施形態においては、入場通路Ｅを物理的に開閉するゲート装置の具体例として、揺動軸２３ａ周りに揺動するドア板２３を例示したが、ゲート装置は入場通路Ｅを物理的に開閉可能に構成されていれば十分であり、その機械的構成は限定されない。ゲート装置はスライドドアを備えるものであっても良いし、揺動自在に取りつけられた棒材を備えるものであっても良い。
【００５６】
あるいは、ゲート管理装置２に警告灯を備えて、入場希望者が入場を拒否された場合に点灯するようにしても良い。ゲート管理装置２に警告灯を備えれば、入場拒否が発生した場合に係員が、速やかに、必要な対応をすることができる。
【符号の説明】
【００５７】
１  携帯端末
２  ゲート管理装置
３  発券サーバ
４  管理用コンピュータ
１１  ＣＰＵ装置
１１ａ  リアルタイムクロック（ＲＴＣ）
１２  記憶装置
１３  入出力インターフェイス
１４  通信部
１５  タッチパネル装置
１６  スピーカ装置
２１  ディスプレイ装置
２２  音響カプラ
２３  ドア板
２３ａ  揺動軸
２４  ＣＰＵ装置
２４ａ  リアルタイムクロック（ＲＴＣ）
２５  記憶装置
２６  入出力インターフェイス
２７  周波数解析装置
２８  ドア駆動装置
２９  通信部
【図１】
2020077031.tif 000003
【図２】
2020077031.tif 000004
【図３】
2020077031.tif 000005
【図４】
2020077031.tif 000006
【図５】
2020077031.tif 000007
【図６】
2020077031.tif 000008
【図７】
2020077031.tif 000009
【図８】
2020077031.tif 000010